(57)【要約】【課題】床下梁材から受ける荷重を適切に受けることができる床下梁材受具を提供する。【解決手段】大引受具（１１）は、その上に床下梁材を載置する載置面を有し、束に取り付けられる取り付け部（１７）が設けられている平板部（１２）と、平板部（１２）の両端部（１３ａ、１３ｂ）から載置面側に立ち上がるように設けられる一対の側板部（２１ａ、２１ｂ）とを含む。平板部（１２）には、取り付け部（１７）から一対の側板部（２１ａ、２１ｂ）が設けられた平板部（１２）の両端部（１３ａ、１３ｂ）に至ってそれぞれ延びる一対の第一のリブ（２６ａ、２６ｂ）と、第一のリブ（２６ａ、２６ｂ）に交差する方向に延びるよう取り付け部（１７）から延びる第二のリブ（２７ａ〜２７ｆ）とが設けられている。【選択図】図１
2014189967.tif 000002
【特許請求の範囲】
【請求項１】
床下梁材を支持する束に備えられ、前記床下梁材を受ける床下梁材受具であって、
その上に前記床下梁材を載置する載置面を有し、前記束に取り付けられる取り付け部が設けられている平板部と、
前記平板部の両端部から前記載置面側に立ち上がるように設けられる一対の側板部とを含み、
前記平板部には、前記取り付け部から一対の前記側板部が設けられた前記平板部の両端部に至ってそれぞれ延びる一対の第一のリブと、前記第一のリブに交差する方向に延びるよう前記取り付け部から延びる第二のリブとが設けられている、床下梁材受具。
【請求項２】
前記第一のリブは、前記側板部の端部に至るまで延びている、請求項１に記載の床下梁材受具。
【請求項３】
複数の前記第二のリブは、放射状に設けられている、請求項１または２に記載の床下梁材受具。
【請求項４】
前記第二のリブは、前記第一のリブに直交する方向に交差するように設けられる第三のリブと、前記第一のリブと傾斜して交差するように設けられる第四のリブとを含み、
前記取り付け部から前記第四のリブの外方側の端部に至る長さは、前記取り付け部から前記第三のリブの外方側の端部に至る長さよりも長い、請求項１〜３のいずれかに記載の床下梁材受具。
【請求項５】
前記取り付け部は、前記平板部の略中央に設けられている、請求項１〜４のいずれかに記載の床下梁材受具。
【請求項６】
隣り合う前記第一のリブおよび前記第二のリブはそれぞれ、前記取り付け部の中央を中心として周方向に４５度間隔を開けて設けられている、請求項１〜５のいずれかに記載の床下梁材受具。
【請求項７】
前記床下梁材は、大引または根太を含む、請求項１〜６のいずれかに記載の床下梁材受具。
【請求項８】
請求項１〜７のいずれかに記載の床下梁材受具と、
前記床下梁材受具を鉛直下方側から支持する支持部とを備える、束。
【請求項９】
請求項８に記載の束と、
前記束に鉛直下方側から支持される床下梁材とを備え、
前記床下梁材の鉛直方向の長さは、前記床下梁材の鉛直方向に垂直な方向の長さよりも短い、床下梁材の支持構造。
【発明の詳細な説明】
【技術分野】
【０００１】
この発明は、床下梁材受具、束、および床下梁材の支持構造に関するものであり、特に、鋼製の床下梁材受具、このような鋼製の床下梁材を備える束、および床下梁材の支持構造に関するものである。
【背景技術】
【０００２】
床板等を支持する部材として、床板の下部に配置される根太や大引といった床下梁材がある。大引は、基礎としてのコンクリートによって形成された土間の上に複数本所定の間隔を開けて鉛直方向上下に延びるように配置される束の上に配置される。また、根太は、大引の上に格子状となるよう複数配置される。そして、これら大引や根太は、部屋の床を構成する床板等を支持する。
【０００３】
大引等を支持する束については、鉛直上方側の端部において、大引受具が取り付けられる。すなわち、この大引受具と大引等とが直接接触し、束として大引からの荷重を受ける。大引受金物については、特開２００３−１３８７２９号公報（特許文献１）に開示されている。
【先行技術文献】
【特許文献】
【０００４】
【特許文献１】特開２００３−１３８７２９号公報
【発明の概要】
【発明が解決しようとする課題】
【０００５】
特許文献１に開示の大引受金物は、束に接合され、大引の下面を支持する底板部と、底板部の両側から起立され、大引の両側面を支持する側板部とを有することとしている。そして、特許文献１に開示の大引受金物については、底板部から側板部に渡る補強リブを設け、底板部の補強リブを避けた位置に束を接合することとしている。
【０００６】
しかし、このような大引受金物を用いた場合であっても、支持できる荷重の観点からすると、不十分な場合がある。特に昨今、断面略矩形状の大引を長辺側が鉛直下方側に位置するよう弱軸使いで使用した場合において、適切に荷重を受けることができず、受具の撓み等の問題が生じるおそれがある。
【０００７】
この発明の目的は、床下梁材から受ける荷重を適切に受けることができる床下梁材受具を提供することである。
【０００８】
この発明の他の目的は、床下梁材を適切に支持することができる束を提供することである。
【０００９】
この発明のさらに他の目的は、床下梁材を適切に支持することができる床下梁材の支持構造を提供することである。
【課題を解決するための手段】
【００１０】
この発明の一実施形態に係る床下梁材受具は、床下梁材を支持する束に備えられ、床下梁材を受ける。床下梁材受具は、その上に床下梁材を載置する載置面を有し、束に取り付けられる取り付け部が設けられている平板部と、平板部の両端部から載置面側に立ち上がるように設けられる一対の側板部とを含む。平板部には、取り付け部から一対の側板部が設けられた平板部の両端部に至ってそれぞれ延びる一対の第一のリブと、第一のリブに交差する方向に延びるよう取り付け部から延びる第二のリブとが設けられている。
【００１１】
このような床下梁材受具によると、平板部に設けられた一対の第一のリブは、束に取り付けられる取り付け部から側板部が設けられた平板部の両端部に至ってそれぞれ延びているため、両端部側に至る方向における床下梁材からの荷重に対する撓みを抑制することができる。また、その他の方向については、第一のリブに交差する方向に延びるよう取り付け部から延びる第二のリブによって、床下梁材からの荷重に対する撓みを抑制することができる。その結果、床下梁材から受ける荷重を適切に受けることができる。
【００１２】
また、第一のリブは、側板部の端部に至るまで延びているよう構成してもよい。こうすることにより、より確実に両端部側に至る方向における床下梁材からの荷重に対する撓みを抑制することができる。
【００１３】
また、複数の第二のリブは、放射状に設けられているよう構成してもよい。こうすることにより、多方向に亘って、適切に床下梁材からの荷重に対する撓みを抑制することができる。
【００１４】
また、第二のリブは、第一のリブに直交する方向に交差するように設けられる第三のリブと、第一のリブと傾斜して交差するように設けられる第四のリブとを含み、取り付け部から第四のリブの外方側の端部に至る長さは、取り付け部から第三のリブの外方側の端部に至る長さよりも長いよう構成してもよい。こうすることにより、比較的撓みやすい第四のリブが延びる方向の撓みを抑制することができる。
【００１５】
また、取り付け部は、平板部の略中央に設けられているよう構成してもよい。こうすることにより、より適切に床下梁材から受ける荷重を束に設けられた支持部に伝えることができる。
【００１６】
また、隣り合う第一のリブおよび第二のリブは、取り付け部の中央を中心として周方向に４５度間隔を開けて設けられているよう構成してもよい。こうすることにより、より均等に荷重を受けることができる。
【００１７】
この発明の他の局面においては、束は、上記したいずれかの床下梁材受具と、床下梁材受具を鉛直下方側から支持する支持部とを備える。
【００１８】
この発明のさらに他の局面においては、床下梁材の支持構造は、上記した束と、束に鉛直下方側から支持される床下梁材とを備え、前記床下梁材の鉛直方向の長さは、前記床下梁材の鉛直方向に垂直な方向の長さよりも短い。
【００１９】
こうすることにより、いわゆる床下梁材を弱軸使いとした場合であっても、床下梁材からの荷重を適切に受けることができる。
【発明の効果】
【００２０】
このような構成によると、平板部に設けられた一対の第一のリブは、束に取り付けられる取り付け部から側板部が設けられた平板部の両端部に至ってそれぞれ延びているため、両端部側に至る方向における床下梁材からの荷重に対する撓みを抑制することができる。また、その他の方向については、第一のリブに交差する方向に延びるよう取り付け部から延びる第二のリブによって、床下梁材からの荷重に対する撓みを抑制することができる。その結果、床下梁材から受ける荷重を適切に受けることができる。
【図面の簡単な説明】
【００２１】
【図１】この発明の一実施形態に係る床下梁材受具としての大引受具を示す図である。
【図２】図１に示す大引受具を図１中の矢印ＩＩの方向から見た側面図である。
【図３】図１に示す大引受具を図１中のＩＩＩ−ＩＩＩ断面で切断した場合の断面図である。
【図４】図１に示す大引受具を備える鋼製大引の支持構造の一部を示す概略図である。
【図５】図４に示す鋼製大引の支持構造を、図４中の矢印Ｖの方向から見た図である。
【図６】従来におけるリブを設けない構成の大引受具を示す図である。
【図７】図６に示す大引受具を図６中の矢印ＶＩＩの方向から見た側面図である。
【図８】従来におけるリブが両端部に至るまで延びていない構成の大引受具を示す図である。
【図９】図８に示す大引受具を図８中の矢印ＩＸの方向から見た側面図である。
【発明を実施するための形態】
【００２２】
以下、この発明の実施の形態を、図面を参照して説明する。図１は、この発明の一実施形態に係る床下梁材受具としての大引受具を示す図である。図２は、図１に示す大引受具を図１中の矢印ＩＩで示す方向から見た側面図である。図３は、図１に示す大引受具を図１中のＩＩＩ−ＩＩＩ断面で切断した場合の断面図である。図４は、図１に示す大引受具を備え、床下梁材としての鋼製大引を支持する鋼製大引の支持構造の一部を示す概略図である。図５は、図４に示す鋼製大引の支持構造を、図４中の矢印Ｖの方向から見た図である。なお、図２等中の矢印Ａ１で示す方向が、鉛直下方側となる。
【００２３】
図１〜図５を参照して、この発明の一実施形態に係る大引受具１１は、大引等の床下梁材を支持する後述する束に備えられ、大引等の床下梁材を受ける。大引受具１１は、鋼製である。大引受具１１は、所定の大きさの鋼板を折り曲げて形成されている。
【００２４】
大引受具１１は、上方、すなわち、図１における紙面表側方向から見た場合に、略矩形状の平板部１２を備える。具体的には、平板部１２は、図１に示す場合において、横長の矩形状であり、図１における紙面左右方向に位置する両端部１３ａ、１３ｂと、図１における紙面上下方向に位置する両端部１４ａ、１４ｂとを備える構成である。端部１３ａと端部１３ｂとが対向し、端部１４ａと端部１４ｂとが対向する位置関係となる。図１中の長さＬ１で示す平板部１２の横方向の長さ、すなわち、両端部１３ａ、１３ｂ間の長さについては、約１００ｍｍが選択される。また、図１中の長さＬ２で示す平板部１２の縦方向の長さ、すなわち、両端部１４ａ、１４ｂ間の長さについては、約８０ｍｍが選択される。なお、図２中の長さＬ３で、平板部１２等を構成する鋼板の板厚を示している。鋼板の板厚については、約２．３ｍｍが選択される。
【００２５】
平板部１２は、その上に大引等の床下梁材を載置する載置面を有する。すなわち、平板部１２のうち、板厚方向の一方側の面１５ａは、大引等と対向する面となり、大引等の載置面となる。なお、板厚方向の他方側の面１５ｂは、後述する束に備えられる支持部に対向する面となる。載置面の大部分は、平らである。具体的には、載置面を構成する板厚方向の一方側の面１５ａ側には、後述する取り付け部が設けられた領域を除いて、突出した突起や凹み等が設けられておらず、おおむね平たい形状である。なお、平板部１２の平らな部分における所定の箇所には、板厚方向に貫通する８つの貫通孔１６ａ、１６ｂ、１６ｃ、１６ｄ、１６ｅ、１６ｆ、１６ｇ、１６ｈが設けられている。この８つの貫通孔１６ａ〜１６ｈは、それぞれ所定の間隔を開けて設けられており、大引との取り付け時等において適宜利用される。貫通孔１６ａ〜１６ｈの径は、約４．５ｍｍである。
【００２６】
平板部１２には、後述する束に取り付けられる取り付け部１７が設けられている。具体的には、取り付け部１７は、矩形状の平板部１２の略中央において、板厚方向の他方側の面１５ｂから突出する取り付け凸部１８と、取り付け凸部１８の中央において、板厚方向に貫通する取り付け貫通孔１９とから構成されている。すなわち、取り付け凸部１８は、取り付け貫通孔１９の周囲において、板厚方向の他方側の面１５ｂから盛り上げられるようにして設けられている。板厚方向の他方側の面１５ｂと取り付け凸部１８とは、なだらかに連なるようにして設けられている。なお、図１において、平板部１２の紙面上下方向の中心２０ａを、一点鎖線で示しており、平板部１２の紙面左右方向の中心２０ｂを、二点鎖線で示している。取り付け部１７の中心は、中心２０ａと中心２０ｂとの交点２０ｃである。この交点２０ｃが、後述する支持部に大引受具１１が取り付けられ、大引等から受ける荷重を支持する際の支点となる。
【００２７】
大引受具１１は、平板部１２の左右方向の両端部１３ａ、１３ｂから載置面側に立ち上がるように設けられる一対の側板部２１ａ、２１ｂを含む。具体的には、一方の側板部２１ａは、矩形状の平板部１２のうち、一方側の短辺に相当する端部１３ａから立ち上がるように設けられている。また、他方の側板部２１ｂは、矩形状の平板部１２のうち、他方側の短辺に相当する端部１３ｂから立ち上がるように設けられている。すなわち、取り付け部１７の取り付け凸部１８が突出する方向と、側板部２１ａ、２１ｂが立ち上がる方向とは、平板部１２の板厚方向において、反対の方向である。一対の側板部２１ａ、２１ｂも対向するように設けられている。
【００２８】
次に、図１〜図３において紙面左側に位置する一方側の側板部２１ａの構成について説明する。側板部２１ａは、平板部１２の一方側の面１５ａに対して、傾斜して立ち上がるように設けられている。具体的には、側板部２１ａのうち、平板部１２側に位置する面２２ａと平板部１２の一方側の面１５ａとのなす角度Ａ２は、鈍角であって、約１００度となるように設けられている。側板部２１ａは、傾斜して真直ぐに延びるように設けられている。側板部２１ａは、平板部１２のうち、端部１４ａから端部１４ｂに至るまで設けられている。すなわち、側板部２１ａの図１における紙面上下方向の長さも、約８０ｍｍである。また、側板部２１ａのうち、図２中の長さＬ４で示す面１５ａから側板部２１ａの端部２３ａまでの面２２ａの傾斜方向に沿って延びる長さについては、約１０ｍｍが選択される。なお、側板部２１ｂについても、同様の構成である。すなわち、側板部２１ｂは、平板部１２の一方側の面１５ａに対して傾斜して立ち上がるように設けられる。側板部２１ｂのうち、平板部１２側に位置する面２２ｂと平板部１２の一方側の面１５ａとのなす角度Ａ３も、鈍角であって、約１００度となるように設けられている。また、側板部２１ｂのうち、図２中の長さＬ５で示す面１５ａから側板部２１ｂの端部２３ｂまでの面２２ｂの傾斜方向に沿って延びる長さについても、約１０ｍｍが選択される。なお、このような角度Ａ２、Ａ３を鈍角とすることにより、後述する鋼製大引の載置面への載置を容易にすることができる。
【００２９】
平板部１２には、一対の第一のリブ２６ａ、２６ｂが設けられている。一対の第一のリブ２６ａ、２６ｂについては、平板部１２の一方側の面１５ａから丸溝状に凹む形状である。すなわち、一対の第一のリブ２６ａ、２６ｂは、平板部１２の他方側の面１５ｂ側においては、丸溝状に凹む形状に沿って突出した形状となる。
【００３０】
一対の第一のリブ２６ａ、２６ｂは、取り付け部１７から一対の側板部２１ａ、２１ｂが設けられた平板部１２の両端部１３ａ、１３ｂに至ってそれぞれ延びている。具体的には、一方側の第一のリブ２６ａは、取り付け部１７のうち、取り付け凸部１８の外方側の端部２４ａから、平板部１２の一方側の端部１３ａに至るまで延びている。この場合、一方側の第一のリブ２６ａは、立ち上がる第一の側板部２１ａの端部２３ａに至ってさらに延びている形状である。同様に、他方側の第一のリブ２６ｂは、取り付け部１７のうち、取り付け凸部１８の外方側の端部２４ｂから、平板部１２の他方側の端部１３ｂに至るまで延びている。この場合、他方側の第一のリブ２６ｂは、立ち上がる第一の側板部２１ｂの端部２３ｂに至ってさらに延びている形状である。第一のリブ２６ａと第一のリブ２６ｂとは、交点２０ｃを中心として１８０度対向する位置に設けられている。すなわち、第一のリブ２６ａと第一のリブ２６ｂとは、交点２０ｃを中心として取り付け部１７から端部１３ａ、１３ｂに向かってそれぞれ逆の方向の延びるように設けられている。
【００３１】
また、平板部１２には、複数、具体的には、６つの第二のリブ２７ａ、２７ｂ、２７ｃ、２７ｄ、２７ｅ、２７ｆが設けられている。６つの第二のリブ２７ａ〜２７ｆはそれぞれ、取り付け部１７の外方側の端部２５ａ、２５ｂ、２５ｃ、２５ｄ、２５ｅ、２５ｆから真直ぐ放射状に延びるように設けられている。また、６つの第二のリブ２７ａ〜２７ｆはそれぞれ、一対の第一のリブ２６ａ、２６ｂに交差する方向に延びるように設けられている。具体的には、第二のリブ２７ａは、第一のリブ２６ａに対して端部１３ａ側に４５度傾斜して設けられている。第二のリブ２７ｂは、第一のリブ２６ａに対して端部１３ａ側に９０度傾斜して設けられている。すなわち、第一のリブ２６ａと第二のリブ２７ｂとは、直交する方向に延びるように設けられている。第二のリブ２７ｃは、第一のリブ２６ｂに対して端部１３ａ側に４５度傾斜して設けられている。第二のリブ２７ｄは、第一のリブ２６ｂに対して端部１３ｂ側に４５度傾斜して設けられている。第二のリブ２７ｅは、第一のリブ２６ｂに対して端部１３ｂ側に９０度傾斜して設けられている。すなわち、第一のリブ２６ｂと第二のリブ２７ｅとは、直交する方向に延びるように設けられている。第二のリブ２７ｆは、第一のリブ２６ａに対して端部１３ｂ側に４５度傾斜して設けられている。第二のリブ２７ａと第二のリブ２７ｄとは、交点２０ｃを中心として１８０度対向する位置に設けられている。第二のリブ２７ｂと第二のリブ２７ｅとは、交点２０ｃを中心として１８０度対向する位置に設けられている。第二のリブ２７ｃと第二のリブ２７ｆとは、交点２０ｃを中心として１８０度対向する位置に設けられている。すなわち、隣り合う第一のリブ２６ａ、２６ｂ、および第二のリブ２７ａ〜２７ｆについては、取り付け部１７の中央となる交点２０ｃを中心として周方向に４５度間隔を開けて設けられている。
【００３２】
それぞれの第二のリブ２７ａ〜２７ｆについては、取り付け部１７から延びて、端部１４ａ等には至らず、平板部１２の途中まで延びている構成である。第一のリブ２６ａ、２６ｂに対して傾斜して延びる第二のリブ２７ａ、２７ｃ、２７ｄ、２７ｆを第三のリブ２８ａとし、第一のリブ２６ａ、２６ｂに対して直交する方向に延びる第二のリブ２７ｂ、２７ｅを第四のリブ２８ｂとすると、第四のリブ２８ｂの長さは、第三のリブ２８ａよりも長く構成されている。具体的には、図１中の長さＬ８で示す第二のリブ２７ａの外方側の端部２９ａから第二のリブ２７ｄの外方側の端部２９ｄに至るまでの長さは、図１中の長さＬ７で示す第二のリブ２７ｂの外方側の端部２９ｂから第二のリブ２７ｅの外方側の端部２９ｅに至るまでの長さよりも長く構成されている。また、同様に、図１中の長さＬ６で示す第二のリブ２７ｃの外方側の端部２９ｃから第二のリブ２７ｆの外方側の端部２９ｆに至るまでの長さは、図１中の長さＬ７で示す第二のリブ２７ｂの外方側の端部２９ｂから第二のリブ２７ｅの外方側の端部２９ｅに至るまでの長さよりも長く構成されている。長さＬ６、長さＬ８としては、約８０ｍｍが選択され、長さＬ７としては、約７０ｍｍが選択される。
【００３３】
上記した構成の大引受具１１は、一点鎖線で示す中心２０ａを対称軸として、上下方向に対称に構成されている。また、大引受具１１は、二点鎖線で示す中心２０ｂを対称軸として、左右方向に対称に構成されている。また、大引受具１１は、図１に示すように、交点２０ｃを回転中心として、１８０度回転しても同じ形状である回転対称性を有する。
【００３４】
次に、このような大引受具１１を備える束、および、鋼製大引の支持構造の構成について説明する。この発明の一実施形態に係る束３１は、上記した構成の大引受具１１と、大引受具１１を鉛直下方側から支持する棒状の支持部３２とを備える。束３１は、鋼製であって、図４および図５中の一点鎖線で示すコンクリート等によって形成される土間３３の上に配置される。具体的には、束３１の一方側の端部、すなわち、下方側の端部３４ａが土間３３の上に取り付けられるようにして、鉛直方向に延びるように設けられる。そして、大引受具１１は、支持部３２の他方側の端部、具体的には、支持部３２の上方側の端部３４ｂに図示しないねじ等を用いて取り付けられる。すなわち、大引受具１１は、束３１に着脱可能に設けられている。なお、束３１は、支持部３２の長さを変えることにより、鉛直方向の長さを変えることができる。
【００３５】
また、この発明の一実施形態に係る鋼製大引の支持構造４１は、上記した構成の束３１と、鋼製大引３６とを備える。鋼製大引３６は、長手方向に延びる角材であって、中空状である。鋼製大引３６は、長手方向に真直ぐに延びる形状である。鋼製大引３６の長さは、おおよそ数ｍ程度である。鋼製大引３６は、その外形形状が、略矩形状である。具体的には、鋼製大引３６は、長手方向の一方側から見た場合に、図４に示すように、一対の長辺３７ａ、３７ｂと一対の短辺３８ａ、３８ｂとから構成されている。そして、一対の長辺３７ａ、３７ｂのうち、一方側の長辺３７ａが鉛直下方側となり、一対の短辺３８ａ、３８ｂが鉛直方向に延びるように配置される。すなわち、鋼製大引３６は、弱軸使いで使用される。この場合、鋼製大引３６のうち、一方側の長辺３７ａの外側面３９ａが鉛直下方側となり、大引受具１１の平板部１２の一方側の面１５ａ、すなわち、大引受具１１の載置面と当接するように設けられる。なお、鋼製大引３６は、例えば、ロールフォーミング成形等により、平板状の鋼板を矩形状に折り曲げて形成される。そして、折り曲げた際に端部同士が接合される図示しないかしめ部が、一方側の長辺３７ａに設けられる場合がある。
【００３６】
このような構成の大引受具１１、束３１、および鋼製大引の支持構造４１によると、平板部１２に設けられた一対の第一のリブ２６ａ、２６ｂは、束３１に取り付けられる取り付け部１７から側板部２１ａ、２１ｂが設けられた平板部１２の両端部１３ａ、１３ｂに至ってそれぞれ延びているため、両端部１３ａ、１３ｂ側に至る方向における鋼製大引３６からの荷重に対する撓みを抑制することができる。また、その他の方向については、第一のリブ２６ａ、２６ｂに交差する方向に延びるよう取り付け部１７から延びる第二のリブ２７ａ〜２７ｆによって、鋼製大引３６からの荷重に対する撓みを抑制することができる。その結果、鋼製大引３６から受ける荷重を適切に受けることができる。
【００３７】
この場合、鋼製大引３６を弱軸使いで用いているため、上部空間の高さを広く確保することができる。すなわち、鋼製大引３６等の床下梁材の上に形成される部屋において、高い天井高さを実現することができ、広い居住空間を確保することができる。
【００３８】
また、この場合、第一のリブ２６ａ、２６ｂは、側板部２１ａ、２１ｂの端部２３ａ、２３ｂに至るまで延びているよう構成されているため、より確実に両端部１３ａ、１３ｂ側に至る方向における鋼製大引３６からの荷重に対する撓みを抑制することができる。
【００３９】
また、複数の第二のリブは、放射状に設けられているよう構成されているため、多方向に亘って、適切に鋼製大引３６からの荷重に対する撓みを抑制することができる。
【００４０】
また、第二のリブ２７ａ〜２７ｆは、第一のリブ２６ａ、２６ｂに直交する方向に交差するように設けられる第三のリブ２８ａと、第一のリブ２６ａ、２６ｂと傾斜して交差するように設けられる第四のリブ２８ｂとを含み、取り付け部１７から第四のリブ２８ｂの外方側の端部に至る長さは、取り付け部１７から第三のリブ２８ａの外方側の端部に至る長さよりも長く構成されているため、比較的撓みやすい第四のリブ２８ｂが延びる方向の撓みを抑制することができる。
【００４１】
また、取り付け部は、平板部の略中央に設けられているため、より適切に鋼製大引３６から受ける荷重を束３１に設けられた支持部３２に伝えることができる。
【００４２】
また、隣り合う第一のリブ２６ａ、２６ｂおよび第二のリブ２７ａ〜２７ｆは、取り付け部１７の中央を中心として４５度間隔を開けて設けられているため、より均等に荷重を受けることができる。
【００４３】
次に、このような大引受具１１を実施例１として用い、荷重評価試験を行った。荷重評価試験については、上記した図４に示す鋼製大引の支持構造４１において、矢印Ａ１から荷重を付与し、弾性限度荷重および最大荷重を計測した。比較対象として、図６および図７に示す形状の大引受具を比較例１、図８および図９に示す形状の大引受具を比較例２として用い、実施例１の大引受具と同様に試験した。試験結果を、以下の表１に示す。なお、試験としては、それぞれの実施例、比較例において３つの試験体を用いて行った。ここで、弾性限度荷重としては、長期荷重として加えられる想定の荷重を、固定荷重８００Ｎ／ｍ２と、積載荷重１８００Ｎ／ｍ２とする。そして、これらを足し合わせた２６００Ｎ／ｍ２という値に対し、２倍程度の安全率等を考慮して、４３０６Ｎという値を弾性限度荷重とした。すなわち、一つの基準において、弾性限度荷重として、３つの試験体の平均の値が４３０６Ｎ以上となることが望ましい。なお、最大荷重としては、それぞれの試験体の値が高い方が望ましい。特に、それぞれの試験体において３倍程度の安全率を考慮して、６４５９Ｎ以上の値となることが望ましい。
【００４４】
図６は、従来におけるリブが設けられていない構成の大引受具を示す図である。図７は、図６に示す大引受具を図６中の矢印ＶＩＩの方向から見た側面図である。図６および図７を参照して、従来における大引受具１０１は、矩形状の平板部１０２と、一対の側板部１０３ａ、１０３ｂとを備える構成である。また、平板部１０２の中央に貫通孔が設けられた取り付け部１０４が設けられている構成である。なお、８つの貫通孔１０５ａ、１０５ｂ、１０５ｃ、１０５ｄ、１０５ｅ、１０５ｆ、１０５ｇ、１０５ｈも設けられている。
【００４５】
また、図８は、従来におけるリブが両端部に至るまで延びていない構成の大引受具を示す図である。図９は、図８に示す大引受具を図８中の矢印ＩＸの方向から見た側面図である。図８および図９を参照して、従来における大引受具１１１は、矩形状の平板部１１２と、一対の側板部１１３ａ、１１３ｂとを備える構成である。また、平板部１１２の中央に貫通孔が設けられた取り付け部１１４が設けられている構成である。なお、８つの貫通孔１１５ａ、１１５ｂ、１１５ｃ、１１５ｄ、１１５ｅ、１１５ｆ、１１５ｇ、１１５ｈも設けられている。大引受具１１１については、８つのリブ１１６ａ、１１６ｂ、１１６ｃ、１１６ｄ、１１６ｅ、１１６ｆ、１１６ｇ、１１６ｈが設けられている構成である。取り付け部１１４から一対の側板部１１３ａ、１１３ｂ側にそれぞれ延びるリブ１１６ａ、１１６ｅは、平板部１１２の両端部に至っていない。また、取り付け部１１４からのそれぞれのリブ１１６ａ〜１１６ｈの外方側の端部に至る長さも同じである。
【００４６】
【表１】
2014189967.tif 000003
【００４７】
表１を参照して、弾性限度荷重について検討すると、比較例１の場合、弾性限度荷重は、平均２３２６．６Ｎ（ニュートン）であった。また、比較例２の場合、弾性限度荷重は、平均３２０３．３Ｎであった。これらに対し、実施例１の場合、弾性限度荷重は、平均４３１３．３Ｎであった。実施例１の場合、比較例１、比較例２の場合と比較して大きな値となり、求められる弾性限度荷重としての４３０６Ｎを上回る結果を得た。
【００４８】
また、最大荷重について検討すると、比較例１の場合、最大荷重は、平均１１１３３Ｎであった。また、比較例２の場合、最大荷重は、平均１１１００Ｎであった。これらに対し、実施例１の場合、最大荷重は、平均１１５００Ｎであった。実施例１の場合、比較例１、比較例２の場合と比較して大きな値となった。
【００４９】
以上より、このような構成の大引受具、束、鋼製大引の支持構造は、鋼製大引から受ける荷重を適切に受けることができる。
【００５０】
なお、上記の実施の形態においては、平板部は、略矩形状とすることにしたが、このような形状に限られず、例えば、特に側板部が設けられていない端部において、曲面や傾斜面から構成されるよう構成してもよい。
【００５１】
また、上記の実施の形態においては、取り付け部として、取り付け貫通孔が設けられた取り付け凸部を設けることにしたが、これに限らず、単なる貫通孔のみや、貫通孔が設けられておらず、単なる取り付け凸部が設けられている構成としてもよい。
【００５２】
なお、上記の実施の形態においては、第一のリブは、側板部の端部に至るまで延びている構成としたが、これに限らず、少なくとも平板部の端部にまで至っていればよく、側板部の途中部分までリブが設けられている構成としてもよい。
【００５３】
また、上記の実施の形態においては、大引受具は、所定の大きさの鋼板を折り曲げて形成することとしたが、これに限らず、いわゆる削り出し等、ブロック状の角材等を切り出して、上記した形状の大引受具を形成することにしてもよい。
【００５４】
なお、上記の実施の形態においては、一方側の面が凹み、他方側の面が突出するリブの構成としたが、これに限らず、他方側の面から突出している形状であれば、一方側の面から凹んでいなくともよく、凹みが何らかの部材で埋められていてもよい。
【００５５】
また、上記の実施の形態においては、第二のリブについて、外方側の端部が平板部の端部に至らない構成としたが、これに限らず、第二のリブについても、外方側の端部が平板部の端部に至る構成としてもよい。
【００５６】
なお、上記の実施の形態においては、第二のリブは、放射状に設けられていることとしたが、これに限らず、例えば、第二のリブは、平板部の上方から見た場合に、第二のリブを構成する線が複数の直線や曲線から構成されていることにしてもよい。また、周方向に４５度間隔で設けられていなくともよく、例えば、３０度間隔で設けられていてもよい。
【００５７】
なお、上記の実施の形態においては、鋼製大引の支持構造に備えられる鋼製大引は、その外形形状を略矩形状としたが、一方側の長辺が他方側の長辺よりもやや長い構成ややや短い構成の台形形状であっても適用される。また、鋼製大引をいわゆる強軸使い、すなわち、鋼製大引の鉛直方向の長さを鋼製大引の鉛直方向に垂直な方向の長さよりも長くして用いることにしてもよい。
【００５８】
なお、上記の実施の形態においては、床下梁材として鋼製大引を備えることとしたが、これに限らず、床下梁材としては、根太や他の床下に用いられる部材等が挙げられ、この場合、床下梁材受具は、根太等に直接接触する部材となる。
【００５９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００６０】
この発明に係る大引受具、束、床下梁材の支持構造は、床下梁材を弱軸使いで使用する場合において、有効に利用される。
【符号の説明】
【００６１】
１１，１０１，１１１  大引受具、１２，１０２，１１２  平坦部、１３ａ，１３ｂ，１４ａ，１４ｂ，２３ａ，２３ｂ，２４ａ，２４ｂ，２５ａ，２５ｂ，２５ｃ，２５ｄ，２５ｅ，２５ｆ，２９ａ，２９ｂ，２９ｃ，２９ｄ，２９ｅ，２９ｆ，３４ａ，３４ｂ，１０３，１０３，１１３，１１３  端部、１５ａ，１５ｂ，２２ａ，２２ｂ，３９ａ  面、１６ａ，１６ｂ，１６ｃ，１６ｄ，１６ｅ，１６ｆ，１６ｇ，１６ｈ，１９，１０５ａ，１０５ｂ，１０５ｃ，１０５ｄ，１０５ｅ，１０５ｆ，１０５ｇ，１０５ｈ，１１５ａ，１１５ｂ，１１５ｃ，１１５ｄ，１１５ｅ，１１５ｆ，１１５ｇ，１１５ｈ  貫通孔、１７，１０４，１１４  取り付け部、１８  取り付け凸部、２０ａ，２０ｂ、中心、２０ｃ  交点、２１ａ，２１ｂ，１０３ａ，１０３ｂ，１１３ａ，１１３ｂ  側板部、２６ａ，２６ｂ，２７ａ，２７ｂ，２７ｃ，２７ｄ，２７ｅ，２７ｆ，２８ａ，２８ｂ，１１６ａ，１１６ｂ，１１６ｃ，１１６ｄ，１１６ｅ，１１６ｆ，１１６ｇ，１１６ｈ  リブ、３１  束、３２  支持部、３３  土間、３６  鋼製大引、３７ａ，３７ｂ  長辺、３８ａ，３８ｂ  短辺、４１  鋼製大引の支持構造。
【図１】
2014189967.tif 000004
【図２】
2014189967.tif 000005
【図３】
2014189967.tif 000006
【図４】
2014189967.tif 000007
【図５】
2014189967.tif 000008
【図６】
2014189967.tif 000009
【図７】
2014189967.tif 000010
【図８】
2014189967.tif 000011
【図９】
2014189967.tif 000012